(57)【要約】【課題】円柱面状のコバを有するとともに作用特性に方向性を有するレンズであって、所定作用を及ぼす向きを鏡枠内の所定の径方向へ簡単に且つ正確に向けられ得るレンズと、このようなレンズを保持する鏡枠とを、提供する。【解決手段】円柱面状のコバの中心軸に対して回転対称軸Ａｘ２が傾く第２面Ｒ２における最も第１面Ｒ１に近接する位置に、だぼ１ａが突出形成されるように、レンズ１を構成する。また、レンズ１を嵌め込み可能な大きさを有する大径部２ａと、大径部２ａよりも小さい内径を有するとともに大径部２ａと同軸に配置される小径部２ｂとの境界に、中心軸方向に対して傾く輪帯状の被当付面２ｃが形成されるように、鏡枠２を構成する。また、被当付面２ｃにおいて、中心軸方向における最も大径部２ａ寄りの位置に、だぼ穴２ｄが穿たれているように、鏡枠２を構成する。【選択図】　　図１
2004118046.tif 000002
【特許請求の範囲】
【請求項１】
略円筒状の鏡枠に嵌め込み可能な大きさの円柱面状のコバを有するとともに、前記鏡枠内での回転方向における向きに依って光への作用が異なるレンズであって、
何れかの前記光学面に連続する面には、前記鏡枠の所定位置に形成されている嵌合部に対して嵌め合い可能な被嵌合部が、形成されている
ことを特徴とするレンズ。
【請求項２】
前記光学面のうちの少なくとも一方は、その面形状を式で表現するときに設定される原点を通る基準軸が前記コバの中心軸に対して傾けられている光学面である
ことを特徴とする請求項１記載のレンズ。
【請求項３】
前記基準軸が前記コバの中心軸に対して傾いている光学面は、回転対称な面形状に形成されているとともに、前記基準軸は、その面形状の回転対称軸である
ことを特徴とする請求項２記載のレンズ。
【請求項４】
前記被嵌合部は、前記基準軸が前記コバの中心軸に対して傾けられている光学面に連続する面に、形成されている
ことを特徴とする請求項２又は３記載のレンズ。
【請求項５】
前記被嵌合部は、だぼであり、
前記嵌合部は、だぼ穴である
ことを特徴とする請求項１乃至４の何れかに記載のレンズ。
【請求項６】
材質がガラスである
ことを特徴とする請求項１乃至５の何れかに記載のレンズ。
【請求項７】
モールド成型されることによって成形されている
ことを特徴とする請求項１乃至６の何れかに記載のレンズ。
【請求項８】
円柱面状のコバを有するレンズを嵌め込み可能な大きさの大径部と、前記大径部よりも小さい内径を有するとともに前記大径部と同軸に配置される小径部と、前記大径部と前記小径部との境界に形成される輪帯状の被当付面とを有する鏡枠であって、
前記被当付面には、前記レンズの一方の光学面の所定位置に形成されている被嵌合部に対して嵌め合い可能な嵌合部が、形成されている
ことを特徴とする鏡枠。
【請求項９】
前記被当付面は、中心軸方向に直交する方向から、傾けられている
ことを特徴とする請求項８記載の鏡枠。
【請求項１０】
前記被嵌合部は、だぼであり、
前記嵌合部は、だぼ穴である
ことを特徴とする請求項８又は９記載の鏡枠。
【発明の詳細な説明】
【０００１】
【発明の属する技術分野】
本発明は、光学面を囲む外周面（コバ）が円柱面であるレンズと、このレンズを保持する鏡枠とに、関する。
【０００２】
【従来の技術】
周知のように、投影用や撮影用のレンズの多くは、回転対称な光学面をその両面に有しており、また、円筒状の鏡枠内に保持され得るために、光学面を囲む外周面（コバ）が、円柱面状に形成されている。このようなレンズは、どの径方向においても光への作用特性が均一であるため、通常、鏡枠の中心軸上にコバの中心軸（すなわち光軸）が一致する状態で鏡枠内に取り付けられてさえすれば良い。つまり、レンズが鏡枠内において回転してしまっていても、透過する光に及ぼす作用に違いはない。
【０００３】
これに対し、特殊な用途に使われるレンズのなかには、コバの中心軸と一方の光学面の回転対称軸とが共通の軸上にあって他方の光学面の回転対称軸がこの共通軸に対して傾いているレンズや、回転非対称非球面を有するレンズが、存在する。このようなレンズも、円柱面状のコバを有しているので、円筒状の鏡枠に嵌め込まれた場合には、回転方向の自由度を有してしまう。しかし、これらのレンズは、入射してきた光への作用特性に方向性を有するので、これらのレンズが鏡枠に保持される際には、設計時に指定された方向へ向けられる必要がある。
【０００４】
従来、このような作用特性に方向性を有するレンズの鏡枠内での回転方向における向きを決定する方法として、レンズの外周縁の一部と鏡枠の内周縁の一部とに、それぞれ、取付向き決定用の印を付ける（線状や点状の指標を罫書き、或いは、切削加工により凸状や凹状のガイドを形成する）というものがある（特許文献１参照）。その概要を説明すると、作業者は、まず、製造段階において、光学面における特定の径方向を示す印をレンズに付しておくとともに、その印が示す径方向が向けられるべき方向を示す印を鏡枠に付しておき、次に、組立段階において、このレンズを鏡枠に嵌め込んだ後、このレンズを鏡枠内で回転させることにより、レンズの印と鏡枠の印とを対向させる。このような作業が行われることにより、鏡枠内において、設計時に指定された径方向へ、レンズが向けられる。
【０００５】
【特許文献１】
特開２００１−３１１８０４号公報
【０００６】
【発明が解決しようとする課題】
ところが、上述したような取付向き決定方法によると、レンズや鏡枠の一つ一つに対して印を付ける作業が行われるため、作業ミスなどに因りその印が正確な位置からずれた位置に付けられしまうことがある。すると、後の組立作業において印同士を正確に対向させたとしても、当該レンズが、設計時に指定された径方向を向かなくなってしまうという問題がある。
【０００７】
また、レンズや鏡枠において印が正確な位置に付けられている場合であっても、レンズの印と鏡枠の印とを対向させる作業が目視によってなされるため、その作業には、多少の手間と時間が掛かるという問題もある。然も、印同士が正確に対向していると作業者が判断したとしても、実際には、僅かながらずれている場合が多い。
【０００８】
そこで、本発明の課題は、円柱面状のコバを有するとともに作用特性に方向性を有するレンズであって、所定作用を及ぼす向きを鏡枠内の所定の径方向へ簡単に且つ正確に向けられ得るレンズと、このようなレンズを保持する鏡枠とを、提供することにある。
【０００９】
【課題を解決するための手段】
上記の課題を解決するために、本発明によるレンズは、以下のような構成を採用した。
【００１０】
すなわち、本発明によるレンズは、略円筒状の鏡枠に嵌め込み可能な大きさの円柱面状のコバを有するとともに、前記鏡枠内での回転方向における向きに依って光への作用が異なるレンズであって、何れかの前記光学面に連続する面には、前記鏡枠の所定位置に形成されている嵌合部に対して嵌め合い可能な被嵌合部が、形成されていることを、特徴としている。
【００１１】
また、上記の課題を解決するために、本発明による鏡枠は、以下のような構成を採用した。
【００１２】
すなわち、本発明による鏡枠は、円柱面状のコバを有するレンズを嵌め込み可能な大きさの大径部と、前記大径部よりも小さい内径を有するとともに前記大径部と同軸に配置される小径部と、前記大径部と前記小径部との境界に形成される輪帯状の被当付面とを有する鏡枠であって、前記被当付面には，前記レンズの一方の光学面の所定位置に形成されている被嵌合部に対して嵌め合い可能な嵌合部が、形成されていることを、特徴としている。
【００１３】
これらのように構成されると、作用特性に方向性を有するレンズを鏡枠の大径部に嵌め入れつつ、鏡枠内でレンズを回転させれば、嵌合部を被嵌合部に嵌め合わすことができる。そして、このように嵌合部と被嵌合部とが嵌め合わされると、当該レンズが光に対して所定作用を及ぼす向きが、鏡枠内の所定の径方向へ向けられるとともに、鏡枠内において当該レンズの回転が規制される。従って、作業者は、当該レンズが光に対して所定作用を及ぼす向きを、鏡枠内の所定の径方向へ簡単に且つ正確に向けることができる。
【００１４】
なお、当該レンズは、作用特性に方向性を有するものであって円柱面状のコバを有するものであれば、どのようなレンズであっても良く、例えば、少なくとも一方の光学面が回転対称な形状に形成されていてその回転対称軸がコバの中心軸に対して傾いているレンズであっても良いし、両面の光学面が回転対称な形状に形成されていて両方の回転対称軸がコバの中心軸に対して傾いているレンズであっても良いし、回転非対称な光学面を少なくとも一面有するレンズであっても良いし、光を屈折させるとともに偏光する偏光レンズであっても良い。
【００１５】
また、嵌合部と被嵌合部は、互いに嵌め合わされることによって鏡枠内でのレンズの回転を規制できるものであれば何でも良く、例えば、円柱状又は多角柱状のだぼとだぼ穴や、Ｖ字状の突起とＶ字溝であっても良いし、その他の組み合わせであっても良い。また、嵌合部と被嵌合部は、一組とは限らず、レンズと鏡枠とに複数組形成されていても良い。
【００１６】
さらに、本発明によるレンズの材質は、ガラスであっても良いし、樹脂などのプラスチックであっても良い。
【００１７】
【発明の実施の形態】
以下、図面に基づいて本発明の実施形態を説明する。なお、図１は、本実施形態のレンズ１及び鏡枠２の縦断面図であり、図２は、図１の右側から見たときのレンズ１の背面図であり、図３は、図１の左側から見たときの鏡枠２の正面図である。
【００１８】
レンズ１は、回転対称な光学面をその両側に有するガラスレンズである。このレンズ１には、前側の第１面Ｒ１の回転対称軸Ａｘ１と中心軸が同軸である円柱面状のコバ面が、形成されている。但し、他方の第２面Ｒ２の回転対称軸Ａｘ２は、第１面Ｒ１の回転対称軸Ａｘ１と交差するように、傾斜している。以下、便宜上、第１面Ｒ１の回転対称軸Ａｘ１を、このレンズ１の光軸として説明する。そして、このレンズ１の第２面Ｒ２において、最も第１面Ｒ１に近接している位置には、円柱状のだぼ１ａが、光軸Ａｘ１方向へ突出するように、形成されている。
【００１９】
鏡枠２は、略円筒状に形成されており、その内面は、段状に形成されている。この鏡枠２の内面は、具体的には、レンズ１を嵌め込み可能な大きさの内径を有する大径部２ａと、この大径部２ａよりも小さい内径を有するとともにこの大径部２ａと同軸に配置される小径部２ｂとに、区分される。この大径部２ａと小径部２ｂとの境界には、輪帯状の被当付面２ｃが、形成されており、この被当付面２ｃは、レンズ１の第２光学面Ｒ２の回転対称軸Ａｘ２が光軸Ａｘ１に対して傾く角度と同じ角度だけ、鏡枠２の中心軸に直交する方向から、傾けられている。そして、この被当付面２ｃにおいて、鏡枠２の中心軸方向における最も大径部２ａ寄りの位置には、上記だぼ１ａを嵌め込み可能な大きさを有する円柱状のだぼ穴２ｄが、穿たれている。
【００２０】
本実施形態のレンズ１及び鏡枠２が、以上のように構成されるので、鏡枠２に対してレンズ１を取り付ける際には、まず、第２面Ｒ２を被当付面２ｃに向けた状態で、レンズ１を大径部２ａに嵌め入れて奥へ押し込み、次に、レンズ１を鏡枠２内で回転させることによって、だぼ１ａをだぼ穴２ｄに対向させ、最後に、だぼ１ａをだぼ穴２ｄに嵌め込みつつ、レンズ１を被当付面２ｃに当て付ける。
【００２１】
このように、本実施形態によれば、だぼ１ａをだぼ穴２ｄに嵌め込みつつ、レンズ１を鏡枠２内へ押し込むだけで、第２面Ｒ２の回転対称軸Ａｘ２の傾斜方向を、鏡枠２内の所定の径方向（図１乃至図３における上方）へ簡単に且つ正確に向けることができ、然も、鏡枠２内においてレンズ１の回転を規制することができる。
【００２２】
なお、本実施形態においては、レンズ１にだぼ１ａが形成され、鏡枠２にだぼ穴２ｄが形成されているとしたが、これとは逆に、レンズ１にだぼ穴が形成され、鏡枠２にだぼが形成されていても良い。但し、このレンズ１がモールド成型によって成形される場合には、レンズ１にだぼが形成されている方が好ましい。これは、金型に対し、だぼ穴成型用の突起を残しつつ第２光学面Ｒ２成型用の穴を掘り込むよりも、第２光学面Ｒ２成型用の穴を掘り込んだ後にだぼ成型用の穴を掘り込む方が、加工が容易だからである。
【００２３】
また、本実施形態においては、第２面Ｒ２にだぼ１ａが形成されているとしたが、第１面Ｒ１にだぼ１ａが形成されていても良い。後者の場合、鏡枠２の被当付面２ｃには、第１面Ｒ１が当て付けられることとなるので、この被当付面２ｃは、鏡枠２の中心軸方向に対して直交するように、形成される必要がある。
【００２４】
さらに、本実施形態においては、第２面Ｒ２にだぼ１ａが形成されているとしたが、第２面Ｒ２の周囲にこの第２面Ｒ２と連続する当付面（レンズ１が鏡枠２に嵌め入れられた際に被当付面２ｃに当て付けられるとともに光学面としての作用を奏しない部分）が用意されている場合には、この当付面にだぼ１ａが形成されていても良い。
【００２５】
【発明の効果】
以上に説明したように、本発明によれば、円柱面状のコバを有するとともに作用特性に方向性を有するレンズであっても、所定作用を及ぼす向きを鏡枠内の所定の径方向へ簡単に且つ正確に向けることができる。
【図面の簡単な説明】
【図１】本発明の実施の形態であるレンズ及び鏡枠の縦断面図
【図２】レンズの背面図
【図３】鏡枠の正面図
【符号の説明】
１　　　　レンズ
１ａ　　　だぼ
２　　　　鏡枠
２ａ　　　大径部
２ｂ　　　小径部
２ｃ　　　被当付面
２ｄ　　　だぼ穴
【図１】
2004118046.tif 000003
【図２】
2004118046.tif 000004
【図３】
2004118046.tif 000005